(57)【要約】      （修正有）【課題】トラッキング現象の原因となる綿埃等を電源プラグの先端部の栓刃付近に全く侵入させないようにすることで、簡単な構成であっても確実に電源プラグに取り付けることによりトラッキング現象を防止するための電源プラグカバーを提供すること。【解決手段】電源プラグの側面全体を包み込むための本体部２０と、前記本体部２０から略直角に延伸している先端部３０と、電源コードを外に出すためのコード貫通用穴４０を備えていることを特徴とする電源プラグカバー１０とした。【選択図】図１
2018116902.tif 000002
【特許請求の範囲】
【請求項１】
側面全体を包み込むようにして電源プラグに取り付けることによりトラッキング現象を防止するための電源プラグカバーであって、
電源プラグの側面全体を包み込むための本体部と、
前記本体部から略直角に延伸している先端部と、
コードを外に出すためのコード貫通用穴を備えていることを特徴とする電源プラグカバー。
【請求項２】
前記コード貫通用穴の周辺には切込み部が設置されていることを特徴とする請求項１に記載の電源プラグカバー。
【請求項３】
前記先端部のコンセントと対面する側は、接着部を備えていることを特徴とする請求項１または請求項２に記載の電源プラグカバー。
【請求項４】
前記先端部のコンセントに電源プラグを指した際の上側の形状は、綿埃等が溜まらない形状であることを特徴とする請求項１乃至請求項３のいずれかに記載の電源プラグカバー。
【発明の詳細な説明】
【技術分野】
【０００１】
本発明は、電源プラグ自体に取り付けることによりトラッキング現象を防止するための電源プラグカバーに関する。
【背景技術】
【０００２】
コンセントやテーブルタップに長期間に亘って電源プラグを差し込んだままでいると、コンセントと電源プラグとの隙間に徐々に綿埃等が溜まる。この綿埃等が湿気を帯びることによって電源プラグ先端の栓刃と栓刃の間で火花放電が繰り返されると、電源プラグ先端の栓刃と栓刃の間の絶縁樹脂表面に炭化導電路（トラック）が形成され、電気が流れて発熱し、終には発火する（いわゆるトラッキング現象）。特に、箪笥、テレビ、冷蔵庫等の裏で長期間、電源プラグをコンセントに差し込んだままの状態で使い続けている家電製品（冷蔵庫、テレビ、洗濯機等）においては、トラッキング現象により火災を発生してしまう危険性がある。
【０００３】
トラッキング現象を発生させないためには、電源プラグ先端の栓刃と栓刃の間の絶縁樹脂表面に炭化導電路（トラック）が形成され難い（いわゆる耐トラッキング性）を有する素材であるユリア樹脂を電源プラグの素材として使用する、電源プラグ先端の２つの栓刃の根元の其々を絶縁体で被覆することにより絶縁する、コンセントに電源プラグを差し込んだ時にコンセントと電源プラグの間に、故意に空間ができるような形状にして、綿埃等が溜まらないようにする等の対策を講じた電源プラグ等の対策品も散見されるが、耐久性等の観点からも、使用の実態を考慮しても、色々と不備な点があり完全なトラッキング現象に対する対策品とは言えないものであった。
【０００４】
上記のごとく、現状においてトラッキング現象を発生させないためのリーズナブルにして有効な対策品が無い現状において、確実にトラッキング現象を発生させないためには、冷蔵庫等の常時通電している機器は、時々プラグを抜いて乾燥布で拭き取る、その他の常時通電しない電気機器の使用後はスイッチを切ってコンセントからプラグを抜いておく等の日常のメンテナンスをするしかなかった。しかしながら、日常の掃除やメンテナンスは非常に面倒であり、根本的にトラッキング現象が発生しないための対策が望まれていた。
【０００５】
特許文献１には、「安価でＡＣアダプタ等も差せるトラッキング防止のコンセントを提供する（特許文献１：要約の課題）。」ことを課題として「電源プラグの刃を受ける２個以上の刃受けを有するコンセントにおいて、刃受けと刃受けの間の電源プラグ挿入側に収縮可能な絶縁板を有し、その絶縁板は常に電源プラグを押す方向に働いていることを特徴とするコンセント（特許文献１：請求項１）。」が開示されている。即ち、コンセントの刃受けと刃受けの間の電源プラグ挿入側に収縮可能な絶縁板を有し、その絶縁板は、常に電源プラグを押す方向に働き、電源プラグ挿入時に電源プラグの刃と刃の実質的な距離を伸ばし、絶縁性を高めた」コンセント（特許文献１：発明の名称）が開示されている。
【先行技術文献】
【特許文献】
【０００６】
【特許文献１】特開２０００−２８６００４号公報
【発明の概要】
【発明が解決しようとする課題】
【０００７】
特許文献１に係るコンセント（特許文献１：発明の名称）は、刃受けと刃受けの間の電源プラグ挿入側に収縮可能な絶縁板を有し、その絶縁板は常に電源プラグを外側に押す方向に働いているので、差し込み刃を保持する強度を低下してしまうし、電源プラグのコンセントへの差し込みが不十分で電源プラグの導電部分が露出していることによる感電、漏電事故発生の可能性もあるし、コンセントと電源プラグの間において隙間ができる方向に働いており、長期の使用中に、プラグとコンセントの間のわずかな隙間に埃が堆積する恐れがあると言えるため確実にトラッキング現象の発生を阻止できるものとは言えない。
【０００８】
本発明の目的は、トラッキング現象の原因となる綿埃等を電源プラグの先端部の栓刃付近に全く侵入させないようにすることで、簡単な構成であっても確実に電源プラグに取り付けることによりトラッキング現象を防止するための電源プラグカバーを提供することにある。
【課題を解決するための手段】
【０００９】
上記課題を解決するために、請求項１に記載された発明は、側面全体を包み込むようにして電源プラグに取り付けることによりトラッキング現象を防止するための電源プラグカバーであって、電源プラグの側面全体を包み込むための本体部と、前記本体部から略直角に延伸している先端部と、電源コードを外に出すためのコード貫通用穴を備えていることを特徴とする電源プラグカバーであることを特徴とするものである。
【００１０】
請求項２に記載された発明は、請求項１において、前記コード貫通用穴の周辺には切込み部が設置されていることを特徴とする請求項１に記載の電源プラグカバーであることを特徴とするものである。
【００１１】
請求項３に記載された発明は、請求項１または請求項２において、前記先端部のコンセントと対面する側は、接着部を備えていることを特徴とする請求項１または請求項２に記載の電源プラグカバーであることを特徴とするものである。
【００１２】
請求項４に記載された発明は、請求項１乃至請求項３のいずれかにおいて、前記先端部のコンセントに電源プラグを指した際の上側の形状は、綿埃等が溜まらない形状である電源プラグカバーであることを特徴とするものである。
【発明の効果】
【００１３】
本発明に係る電源プラグカバーは、電源プラグの側面全体を包み込むための本体部と、本体部から略直角に延伸している先端部（コンセント面と対面する部位）と、電源コードを貫通させるためのコード貫通用穴を備えている。コード貫通用穴の周辺には切込み部が設置されているので、切り込み部を利用することで、挿入口が広くなるため、家電製品などに取り付けられた電源コードの先端の電源プラグをコード貫通穴から挿入し易くなっている。
【００１４】
先端部のコンセントと対面する側は、接着部を備えているので、電源プラグとコンセントを接着された状態にすることで、予期せぬ不可抗力等が働いたとしてもコンセントに指し込んだ状態にある電源プラグが緩んだりすることが殆ど無い。従って、箪笥、テレビ、冷蔵庫等の裏で長期間、電源プラグをコンセントに差し込んだままの状態で使い続けている家電製品において、猫や犬等のペットが箪笥、テレビ、冷蔵庫等の裏に入り込んでしまって予期せぬ不可抗力が働いたとしてもコンセントと電源プラグに隙間ができることが無い。
【００１５】
しかも、先端部のコンセントに電源プラグを指し込んだ際の上側の形状は、綿埃等が溜まりやすい平面部分が無いことにより、綿埃等が溜まらないようになっている。トラッキング現象の原因となる綿埃等を電源プラグの先端部の栓刃付近に全く侵入させないようにすることで、コンセントと電源プラグの間に隙間ができない構成と合わせて、簡単な構成であっても本発明に係る電源プラグカバーを電源プラグに取り付けることにより確実にトラッキング現象を防止することができるようになった。
【図面の簡単な説明】
【００１６】
【図１】本実施例に係る電源プラグカバーの断面図、及び下面図である。
【図２】本実施例に係る電源プラグカバーを設置した電源プラグをコンセントに指し込んだ状態を説明するための図である。
【発明を実施するための形態】
【００１７】
＜電源プラグカバーの構造＞
以下、本発明に係る電源プラグカバー１０の一実施形態について、図１〜図２に基づいて詳細に説明する。図１は、本実施例に係る電源プラグカバー１０の断面図、及びコンセント面に設置した状態における下面図である。
【００１８】
図１に記載したように、本実施例に係る電源プラグカバー１０は、電源プラグの側面全体を包み込むための本体部２０と、本体部２０から略直角に延伸しており、電源プラグをコンセントに指した状態の時にコンセントと接する先端部３０と、電源コードを貫通させるためのコード貫通用穴４０を備えており、コード貫通用穴４０の周辺には、各種電気機器等に設置された電源プラグを先端側から電源プラグカバー１０に挿入し易くするための切込み部５０（図１においては２か所）が設置されている。
【００１９】
さらに、電源プラグをコンセントに指し込んだ状態の時に、先端部３０においてコンセントと対面する側には接着部６０を備えており、図１のコンセントと相対する側からみた図に記載したように、先端部３０のコンセントに電源プラグを指した際の上側の形状は、綿埃等が溜まることなく重力により下に落ちるような形状になっており、中心部が最も高く中心から外側に向かって低くなっているような「いわゆる山型」の形状であって、結果として、綿埃等が溜まりやすい平面部分が無い形状になっている。
【００２０】
＜電源プラグカバーの使用状態＞
図２は、本実施例に係る電源プラグカバーを設置した電源プラグをコンセントに指し込んだ状態を説明するための図である。図２（ａ）は、電源プラグカバー上から見た状態を説明するための断面図であり、図２（ｂ）はコンセントに対面する側から見た正面図である。
【００２１】
本実施例に係る電源プラグカバー１０は、ゴム、樹脂等の絶縁体から構成されており、家電製品等の電源コードに取り付けられた電源プラグをコード貫通穴４０から挿入する。コード貫通穴４０の周辺には複数の切り込み部５０が設置されているので、切り込み部５０を利用することで、電源プラグをコード貫通穴４０から挿入し易くなっている。
【００２２】
次に、電源プラグをコード貫通穴４０から電源プラグカバー１０に挿入した状態で、即ち、電源プラグを本実施例に係る電源プラグカバー１０に密着させたままの状態で、電源プラグをコンセントに差し込む。コンセントに電源プラグカバー１０に密着させたままの状態で電源プラグを差し込むと、本実施例に係る電源プラグカバー１０の先端部３０がコンセント面に接することになる。この時、本実施例に係る電源プラグカバー１０の先端部３０には接着部６０が設置されているので（図１参照）、図２（ａ）に記載したように、電源プラグカバー１０がコンセント面にぴったりとくっついて隙間が全く無い状態になる。
【００２３】
＜電源プラグカバーの効果＞
本発明のポイントは、コンセントと電源プラグの周辺に綿埃等が溜まってもコンセントと電源プラグの隙間に到達させないという従来型のプラグカバーの設計思想とは全く異なり、コンセントに電源プラグを長期間差し込んだままにした時であっても、コンセントと電源プラグの周辺に綿埃等を溜まらせないという思想に基づき設計した電源プラグカバー１０であるということである。従って、コンセントの設置場所が家具の裏側や湿気の多いところ、水漏れし易い所にあったとしても、電源プラグとコンセントの隙間に綿埃等が溜まることが全く無いので、たとえ湿気が多い場所であったとしても、プラグの両極間での火花放電が発生しないようにしたことである。
【００２４】
本実施例に係る電源プラグカバー１０の先端部３０がコンセント面に接する時、先端部３０のコンセント面と対面する側は、接着部６０を備えているので、電源プラグとコンセントを接着された状態にすることで、例えば、猫や犬等のペットが箪笥、テレビ、冷蔵庫等の裏に入り込んでしまって予期せぬ不可抗力等が働いたとしてもコンセントに指した状態にある電源プラグが緩んだりすることが無い。
【００２５】
さらに、先端部３０のコンセントに電源プラグを指し込んだ際の上側の形状は、綿埃等が溜まることなく重力により下に落ちるような形状になっており、中心部が最も高く中心から外側に向かって低くなっているような「いわゆる山型」の形状であって、要するに、平面部分が無いので綿埃等が溜まらないようになっている。電源プラグとコンセントの隙間に綿埃等が溜まることが全く無いので、たとえ湿気が多い場所であったとしても、プラグの両極間で火花放電することが絶対に起こらない。即ち、トラッキング現象の原因となる綿埃等を電源プラグの先端部の栓刃付近に全く侵入させないようにすることで、簡単な構成であっても確実に電源プラグに取り付けることによりトラッキング現象を防止することができる。
【００２６】
しかも、図２（ｂ）に記載したように、本実施例に係る電源プラグカバー１０の先端部３０の形状はコンセントに差し込んだ際、下半分がカットされた形状にすることもできる。通常コンセントは縦に２つ電源プラグをさしこむようになっているものが多いが、本実施例に係る電源プラグカバー１０を設置した電源プラグを縦に２つ設置しても互いに干渉することがない。
【００２７】
＜プラグカバーの変更例＞
本発明に係る電源プラグカバーは、上記した各実施形態の態様に何ら限定されるものではなく、本体部、先端部、コード貫通用穴、切り込み部、接着部等の構成を、本発明の趣旨を逸脱しない範囲で、必要に応じて適宜変更することができる。例えば、本体部の先端部側の形状を電源プラグ（栓刃を除いた）の略半分よりも下側の形状にピッタリとフィットするような形状にすることもできる。また、切り込み部は２箇所に限定されることは無く、それ以上設置しても良いし、一か所のみの設置でも良い。
【産業上の利用可能性】
【００２８】
本発明に係る電源プラグカバーは、上記の如く優れた効果を奏するものであるので、トラッキング現象の原因となる綿埃等を電源プラグの先端部の栓刃付近に全く侵入させないようにすることでトラッキング現象を発生させない電源プラグカバーとして好適に用いることができる。
【符号の説明】
【００２９】
１０・・電源プラグカバー
２０・・本体部
３０・・先端部
４０・・コード貫通用穴
５０・・切り込み部
６０・・接着部
【図１】
2018116902.tif 000003
【図２】
2018116902.tif 000004